(57)【要約】【課題】小型化が図られ、洗浄水に芳香空気を確実に混入し、充分な洗浄感を得ることのできる局部洗浄装置を提供する。【解決手段】局部洗浄装置は、洗浄水を噴出する噴出孔Ｈを先端に有する局部洗浄ノズル１３、１４と、局部洗浄ノズル１３、１４に洗浄水を供給する給水路１０と、給水路を開閉する第１開閉弁Ｖ１とを備えている。また、局部洗浄装置は、芳香剤３０を収納する収納室２１を有し、吸気口２２から収納室２１に吸気された外気に芳香剤３０の香りを付与して芳香空気とし、収納室内２１の芳香空気を排気口２３から排気可能な収納ケース２０を備えている。さらに、局部洗浄装置は、排気口２３に通気路２４によって連通され、第１開閉弁Ｖ１より下流側かつ噴出孔Ｈより上流側の給水路１０に設けられ、給水路１０内を流れる洗浄水の水勢により負圧を発生させて芳香空気を引き込み、洗浄水に芳香空気を混入させる空気混入部４０を備えている。【選択図】図１
2009133123.tif 000002
【特許請求の範囲】
【請求項１】
洗浄水を噴出する噴出孔を先端に有する局部洗浄ノズルと、該局部洗浄ノズルに接続され、該局部洗浄ノズルに該洗浄水を供給する給水路と、該給水路に設けられ、該給水路を開閉する第１開閉弁とを備えた局部洗浄装置において、
芳香剤を収納する収納室を有し、吸気口から該収納室に吸気された外気に該芳香剤の香りを付与して芳香空気とし、該収納室内の該芳香空気を排気口から排気可能な収納ケースと、
該排気口に通気路によって連通され、前記第１開閉弁より下流側かつ前記噴出孔より上流側の前記給水路又は前記局部洗浄ノズルに設けられ、該給水路内又は該局部洗浄ノズル内を流れる前記洗浄水の水勢により負圧を発生させて該芳香空気を引き込み、該洗浄水に該芳香空気を混入させる空気混入部とを備えたことを特徴とする局部洗浄装置。
【請求項２】
前記吸気口には、前記外気が前記収納室内に流入することを許容し、前記芳香空気が該収納室外へ流出することを防止する逆止弁が設けられている請求項１記載の局部洗浄装置。
【請求項３】
前記空気混入部は、前記給水路内又は前記局部洗浄ノズル内に形成されたオリフィスと、該オリフィスの下流側に設けられ、前記通気路が接続される芳香空気取入口とを有する請求項１又は２記載の局部洗浄装置。
【請求項４】
前記通気路に一端が接続され、他端が大気に開放された分岐路と、
該分岐路に設けられ、該分岐路を開閉する第２開閉弁と、
該分岐路の一端が接続された位置よりも前記排気口側の該通気路に設けられ、該通気路を開閉する第３開閉弁とをさらに備えている請求項１乃至３のいずれか１項記載の局部洗浄装置。
【請求項５】
前記通気路に三方弁がさらに備えられ、
該三方弁は、第１流入口が前記排気口に連通され、第２流入口が大気に開放され、流出口が前記空気混入部に連通されており、該第１流入口、該第２流入口及び該流出口を開閉するものである請求項１乃至３のいずれか１項記載の局部洗浄装置。
【請求項６】
前記収納ケースは、前記給水路に接続され、前記洗浄水を所定温度に保持する温水タンクの近傍に配置される請求項１乃至５のいずれか１項記載の局部洗浄装置。
【請求項７】
前記収納ケースは、前記温水タンクの上方に配置される請求項６記載の局部洗浄装置。
【発明の詳細な説明】
【技術分野】
【０００１】
本発明は局部洗浄装置に関する。
【背景技術】
【０００２】
特許文献１に従来の局部洗浄装置が開示されている。この局部洗浄装置は、洗浄水を噴出する噴出孔を先端に有する局部洗浄ノズルと、局部洗浄ノズルに接続され、局部洗浄ノズルに洗浄水を供給する給水路と、給水路に設けられたポンプとを備えている。また、この局部洗浄装置は、芳香剤を収納する収納室を有する収納ケースと、流入口側が収納ケースに連通され、流出口側がポンプより下流側の給水路に設けられた空気混入部に連通されたダイアフラムポンプと、ダイアフラムポンプを駆動するモーターとを備えている。
【０００３】
この局部洗浄装置は、ダイアフラムポンプがモーターにより駆動されると、収納室内で芳香剤の香りが付与された芳香空気が空気混入部に送られる。空気混入部に送られた芳香空気は、給水路に設けられたポンプが駆動されて空気混入部を流れる洗浄水に混入される。これにより、芳香空気を混入した洗浄水が局部洗浄ノズルから噴出されるとともに、トイレ室内に芳香空気の香りが拡散される。
【０００４】
【特許文献１】特開平３−１６１６２４号公報
【発明の開示】
【発明が解決しようとする課題】
【０００５】
しかし、上記従来の局部洗浄装置では、芳香空気を空気混入部に送るためにモーター及びダイアフラムポンプを利用しているため、部品点数が増え、局部洗浄装置が大型化してしまう。また、モーターを制御してダイアフラムポンプにより空気混入部に送られる芳香空気の量を増減させなければ、空気混入部を流れる洗浄水の流量に対して空気混入部に送られる芳香空気の量が少なすぎて芳香空気の香りが広がらなかったり、空気混入部を流れる洗浄水の流量に対して空気混入部に送られる芳香空気の量が多すぎて局部洗浄ノズルの噴出孔から洗浄水が良好に噴出されず、洗浄感を損なったりするおそれがある。
【０００６】
本発明は、上記従来の実情に鑑みてなされたものであって、小型化が図られ、洗浄水に芳香空気を確実に混入し、充分な洗浄感を得ることのできる局部洗浄装置を提供することを解決すべき課題としている。
【課題を解決するための手段】
【０００７】
本発明の局部洗浄装置は、洗浄水を噴出する噴出孔を先端に有する局部洗浄ノズルと、該局部洗浄ノズルに接続され、該局部洗浄ノズルに該洗浄水を供給する給水路と、該給水路に設けられ、該給水路を開閉する第１開閉弁とを備えた局部洗浄装置において、
芳香剤を収納する収納室を有し、吸気口から該収納室に吸気された外気に該芳香剤の香りを付与して芳香空気とし、該収納室内の該芳香空気を排気口から排気可能な収納ケースと、
該排気口に通気路によって連通され、前記第１開閉弁より下流側かつ前記噴出孔より上流側の前記給水路又は前記局部洗浄ノズルに設けられ、該給水路内又は該局部洗浄ノズル内を流れる前記洗浄水の水勢により負圧を発生させて該芳香空気を引き込み、該洗浄水に該芳香空気を混入させる空気混入部とを備えたことを特徴とする。
【０００８】
この局部洗浄装置では、給水路内又は局部洗浄ノズル内を流れる洗浄水の水勢により発生する負圧により空気混入部に芳香空気を引き込むことができるため、ダイアフラムポンプ等の部品を別途必要としない。また、給水路内又は局部洗浄ノズル内を流れる洗浄水の流量の多少により水勢が変化すると、それに応じて発生する負圧の強さも変化する。つまり、洗浄水の流量が増加すれば、空気混入部に引き込まれる芳香空気の量も自動的に増加し、洗浄水の流量が減少すれば、空気混入部に引き込まれる芳香空気の量も自動的に減少する。このため、洗浄水の流量に対して空気混入部に引き込まれる芳香空気の量が少なすぎたり、多すぎたりすることを防止することができる。
【０００９】
したがって、本発明の局部洗浄装置は、小型化が図られ、洗浄水に芳香空気を確実に混入し、充分な洗浄感を得ることができる。
【００１０】
吸気口には、外気が収納室内に流入することを許容し、芳香空気が収納室外へ流出することを防止する逆止弁が設けられ得る。
【００１１】
この場合、芳香空気が洗浄水に混入されて局部洗浄ノズルの噴出孔から噴出される場合を除き、芳香空気は収納室外へ流出しない。このため、芳香剤の香り成分の消費が抑えられ、芳香剤を長期に使用することができる。
【００１２】
空気混入部は、給水路内又は局部洗浄ノズル内に形成されたオリフィスと、オリフィスの下流側に設けられ、通気路が接続される芳香空気取入口とを有し得る。この場合、単純な構造で空気混入部に芳香空気を引き込むことができる。また、空気混入部を小型かつ容易に製造することができる。
【００１３】
本発明の局部洗浄装置は、通気路に一端が接続され、他端が大気に開放された分岐路と、分岐路に設けられ、分岐路を開閉する第２開閉弁と、分岐路の一端が接続された位置よりも排気口側の通気路に設けられ、通気路を開閉する第３開閉弁とをさらに備え得る。
【００１４】
この場合、第２開閉弁及び第３開閉弁を開閉制御することにより、局部洗浄ノズルの噴出孔から噴出される洗浄水への芳香空気の混入割合を変化させることができる。つまり、第２開閉弁及び第３開閉弁を共に開弁状態にすると、分岐路の他端から吸引される空気と収納ケースから吸引される芳香空気とが空気混入部に引き込まれる。このため、局部洗浄ノズルの噴出孔からは芳香空気の混入割合の少ない空気が混入された洗浄水が噴出されるため、洗浄水の香りは弱くなる。また、第２開閉弁を閉弁状態にし、第３開閉弁を開弁状態にすると、収納ケースから吸引される芳香空気のみが空気混入部に引き込まれる。このため、局部洗浄ノズルの噴出孔からは芳香空気の混入割合の多い空気が混入された洗浄水が噴出されるため、洗浄水の香りは強くなる。また、第２開閉弁を開弁状態にし、第３開閉弁を閉弁状態にすると、分岐路の他端から吸引される空気のみが空気混入部に引き込まれる。このため、局部洗浄ノズルの噴出孔からは香りを有さない空気が混入された洗浄水が噴出される。また、第２開閉弁及び第３開閉弁を共に閉弁状態にすると、空気混入部には空気が引き込まれない。このため、局部洗浄ノズルの噴出孔からは空気が混入されていない洗浄水が噴出される。
【００１５】
第２開閉弁は、開度を調整可能なものであっても良い。この場合、分岐路の他端から吸引される空気の量が調整可能となるため、洗浄水に混入される芳香空気の混入割合を調整することができる。このため、局部洗浄ノズルの噴出孔から噴出される洗浄水の香りの強弱を調整することができる。
【００１６】
また、本発明の局部洗浄装置は、通気路に三方弁がさらに備えられ、三方弁は、第１流入口が排気口に連通され、第２流入口が大気に開放され、流出口が空気混入部に連通されており、第１流入口、第２流入口及び流出口を開閉するものであり得る。
【００１７】
この場合も、第１流入口、第２流入口及び流出口を三方弁により開閉制御することにより、局部洗浄ノズルの噴出孔から噴出する洗浄水への芳香空気の混入割合を変化させることができる。つまり、第１流入口、第２流入口及び流出口を共に開弁状態にすると、収納ケースから吸引される芳香空気と第２流入口から吸引される空気とが空気混入部に引き込まれる。このため、局部洗浄ノズルの噴出孔からは芳香空気の混入割合の少ない空気が混入された洗浄水が噴出されるため、洗浄水の香りは弱くなる。また、第２流入口のみを閉弁状態にすると、収納ケースから吸引される芳香空気のみが空気混入部に引き込まれる。このため、局部洗浄ノズルの噴出孔からは芳香空気の混入割合の多い空気が混入された洗浄水が噴出されるため、洗浄水の香りは強くなる。また、第１流入口のみを閉弁状態にすると、第２流入口から吸引される空気のみが空気混入部に引き込まれる。このため、局部洗浄ノズルの噴出孔からは香りを有さない空気が混入された洗浄水が噴出される。また、流出口のみを閉弁状態にすると、空気混入部には空気が引き込まれない。このため、局部洗浄ノズルの噴出孔からは空気が混入されていない洗浄水が噴出される。
【００１８】
また、三方弁は、第１流入口、第２流入口及び流出口の開度を調整可能なものであっても良い。この場合、洗浄水に混入される芳香空気の混入割合を調整することができるため、局部洗浄ノズルの噴出孔から噴出される洗浄水の香りの強弱を調整することができる。
【００１９】
収納ケースは、給水路に接続され、洗浄水を所定温度に保持する温水タンクの近傍、すなわち、タンクまわりの近く、特に上方に配置され得る。この場合、温水タンクからの放熱により、収納ケースが温められ、収納室に収納された芳香剤の香り成分が良好に気化され、吸気口から収納室に吸気された外気に芳香剤の香りを良好に付与することができる。
【発明を実施するための最良の形態】
【００２０】
以下、本発明の局部洗浄装置を具体化した実施例１〜３を図面を参照しつつ説明する。
【実施例１】
【００２１】
図１に示すように、実施例１の局部洗浄装置は、便器本体１の上面後方に取り付けられたケース３の内部に組み込まれている。ケース３は、便座２及び図示しない便蓋を回動自在に支持している。
【００２２】
局部洗浄装置は、図１及び図２に示すように、洗浄水を噴出する噴出孔Ｈを先端に有する肛門洗浄用ノズル１３及びビデ洗浄用ノズル１４の２本の局部洗浄ノズルを備えている。
【００２３】
肛門洗浄用ノズル１３は、ノズル本体１３Ａとノズル本体１３Ａを前方に突出可能に収納するシリンダー１３Ｂとを有し、ビデ洗浄用ノズル１４は、ノズル本体１４Ａとノズル本体１４Ａを前方に突出可能に収納するシリンダー１４Ｂとを有している。肛門洗浄用ノズル１３及びビデ洗浄用ノズル１４は、局部洗浄を行う際に、各シリンダー１３Ｂ、１４Ｂからノズル本体１３Ａ、１４Ａが前方に突出し、噴出孔Ｈから洗浄水を噴出する。
【００２４】
また、局部洗浄装置は、局部洗浄ノズル１３、１４に洗浄水を供給する給水路１０と、給水路１０の上流側に設けられ、給水路１０を開閉する第１開閉弁Ｖ１とを備えている。
【００２５】
給水路１０には、第１開閉弁Ｖ１より下流側に温水タンク１１が接続され、温水タンク１１より下流側に水量調節切換弁１２が接続されている。また、給水路１０は、水量調節切換弁１２により２経路に分岐され、それぞれが肛門洗浄用ノズル１３及びビデ洗浄用ノズル１４に接続されている。第１開閉弁Ｖ１の流入口は、給水ホース６の一端が接続されている。給水ホース６の他端は、トイレ本体１が据え付けられたトイレルームの壁面又は床面から引き出された水道管４に取り付けられた止水栓５に接続されている。このため、局部洗浄ノズル１３、１４に供給される洗浄水は、温水タンク１１により暖められて所定温度に保持され、水量調節切換弁１２により水量が調節され、肛門洗浄用ノズル１３又はビデ洗浄用ノズル１４のどちらか一方の噴出孔Ｈから噴出する。
【００２６】
局部洗浄装置は、図２に示すように、芳香剤３０を収納する収納室２１を有する収納ケース２０を備えている。芳香剤３０は、吸水性を有する複数枚のシートにエッセンシャルオイル又は香水等の芳香液が含浸されたものである。収納ケース２０は、外気を吸気可能な吸気口２２と、吸気口２２から収納室２１に吸気された外気に芳香剤３０の香りを付与した芳香空気を排気可能な排気口２３とを有している。吸気口２２には、外気が収納室２１内に流入することを許容し、芳香空気が収納室２１外へ流出することを防止する逆止弁２５が設けられている。このため、後述するように、芳香空気が洗浄水に混入されて局部洗浄ノズル１３、１４の噴出孔Ｈから噴出される場合を除き、芳香空気は収納室２１外へ流出しない。このため、芳香剤３０の香り成分の消費が抑えられ、芳香剤３０を長期に使用することができる。
【００２７】
収納ケース２０は、図１に示すように、温水タンク１１の上方近傍に配置されている。このため、冬季等で外気温が低い場合でも、温水タンク１１からの放熱により、収納ケース２０が暖められ、収納室２１に収納された芳香剤３０の香り成分が良好に気化され、吸気口２２から収納室２１に吸気された外気に芳香剤３０の香りを良好に付与することができる。
【００２８】
また、図示しないが、ケース３は、収納ケース２０の上方位置に開閉可能な蓋体を有する開口が設けられている。また、収納ケース２０の上面にも開閉可能な蓋体が設けられている。このため、ケース３及び収納ケース２０の各蓋体を開けて収納室２１に収納された芳香剤３０の交換若しくは芳香液の補充等をすることができる。
【００２９】
局部洗浄装置は、図２に示すように、排気口２３に通気路２４によって連通され、温水タンク１１より下流側かつ水量調節切換弁１２より上流側の給水路１０に設けられた空気混入部４０を備えている。空気混入部４０は、給水路１０内に形成されたオリフィス４１と、オリフィス４１の下流側に設けられ、通気路２４が接続される芳香空気取入口４２とを有している。このため、給水路１０内を洗浄水が流れると、その水勢によりオリフィス４１の下流近傍に負圧が発生し、芳香空気取入口４２から芳香空気を引き込み、洗浄水に芳香空気を混入させることができる。このように、収納ケース２０から芳香空気を空気混入部４０に送るためにダイアフラムポンプ等の部品を別途必要としない。また、空気混入部４０を流れる洗浄水の流量の多少により水勢が変化すると、それに応じて発生する負圧の強さも変化する。つまり、洗浄水の流量が増加すれば、空気混入部４０に引き込まれる芳香空気の量も自動的に増加し、洗浄水の流量が減少すれば、空気混入部４０に引き込まれる芳香空気の量も自動的に減少する。このため、洗浄水の流量に対して空気混入部４０に引き込まれる芳香空気の量が少なすぎたり、多すぎたりすることを防止することができる。また、単純な構造で空気混入部４０に芳香空気を引き込むことができる。さらに、空気混入部４０を小型かつ容易に製造することができる。
【００３０】
したがって、実施例１の局部洗浄装置は、小型化が図られ、洗浄水に芳香空気を確実に混入し、充分な洗浄感を得ることができる。
【００３１】
また、実施例１の局部洗浄装置は、通気路２４に一端が接続され、他端２６が大気に開放された分岐路２６と、分岐路２６に設けられ、分岐路２６を開閉する第２開閉弁Ｖ２と、分岐路２６が接続された位置よりも排気口２３側の通気路２４に設けられ、通気路２４を開閉する第３開閉弁Ｖ３をさらに備えている。
【００３２】
第２開閉弁Ｖ２及び第３開閉弁Ｖ３を開閉制御すると、局部洗浄ノズル１３、１４の噴出孔Ｈから噴出される洗浄水への芳香空気の混入割合を以下のように変化させることができる。
【００３３】
第２開閉弁Ｖ２及び第３開閉弁Ｖ３を共に開弁状態にすると、分岐路２６の他端から吸引される空気と収納ケース２０から吸引される芳香空気とが空気混入部４０に引き込まれる。このため、局部洗浄ノズル１３、１４の噴出孔Ｈからは芳香空気の混入割合の少ない空気が混入された洗浄水が噴出されるため、洗浄水の香りは弱くなる。また、第２開閉弁Ｖ２を閉弁状態にし、第３開閉弁Ｖ３を開弁状態にすると、収納ケース２０から吸引される芳香空気のみが空気混入部４０に引き込まれる。このため、局部洗浄ノズル１３、１４の噴出孔Ｈからは芳香空気の混入割合の多い空気が混入された洗浄水が噴出されるため、洗浄水の香りは強くなる。また、第２開閉弁Ｖ２を開弁状態にし、第３開閉弁Ｖ３を閉弁状態にすると、分岐路２６の他端から吸引される空気のみが空気混入部４０に引き込まれる。このため、局部洗浄ノズル１３、１４の噴出孔Ｈからは香りを有さない空気が混入された洗浄水が噴出される。また、第２開閉弁Ｖ２及び第３開閉弁Ｖ３を共に閉弁状態にすると、空気混入部４０には空気が引き込まれない。このため、局部洗浄ノズル１３、１４の噴出孔Ｈからは空気が混入されていない洗浄水が噴出される。
【実施例２】
【００３４】
実施例２の局部洗浄装置は、図３に示すように、空気混入部５０が局部洗浄ノズル１３、１４のノズル本体１３Ａ、１４Ａに設けられ、この空気混入部５０に通気路２４が連通されている点を除き、実施例１と同じ構成を有する。実施例１と同一の構成については同一の符号を付して詳細な説明は省略する。
【００３５】
実施例２の局部洗浄装置では、ノズル本体１３Ａ、１４Ａに設けられた噴出孔Ｈの近傍に空気混入部５０が設けられている。空気混入部５０は、ノズル本体１３Ａ、１４Ａ内に形成されたオリフィス５１と、オリフィス５１の下流側に設けられ、通気路２４が接続される芳香空気取入口５２とを有している。
【００３６】
図示しないが、通気路２４は、分岐路２６の一端が接続されている位置よりも下流側で２経路に分岐され、それぞれが肛門洗浄用ノズル１３及びビデ洗浄用ノズル１４のノズル本体１３Ａ、１４Ａに設けられた芳香空気取入口５２に接続されている。また、通気路２４は、可撓性を有する樹脂製のパイプにより形成されており、ノズル本体１３Ａ、１４Ａがシリンダー１３Ｂ、１４Ｂに対して進退移動する動きに追随可能とされている。
【００３７】
局部洗浄を行なうため、ノズル本体１３Ａ、１４Ａがシリンダー１３Ｂ、１４Ｂから突出し、ノズル本体１３Ａ、１４Ａ内を洗浄水が流れると、その水勢によりオリフィス５１の下流近傍に負圧が発生し、芳香空気取入口５２から芳香空気を引き込み、洗浄水に芳香空気を混入させることができる。このように、収納ケース２０から芳香空気を空気混入部５０に送るためにダイアフラムポンプ等の部品を別途必要としない。また、空気混入部５０を流れる洗浄水の流量の多少により水勢が変化すると、それに応じて発生する負圧の強さも変化する。つまり、洗浄水の流量が増加すれば、空気混入部５０に引き込まれる芳香空気の量も自動的に増加し、洗浄水の流量が減少すれば、空気混入部５０に引き込まれる芳香空気の量も自動的に減少する。このため、洗浄水の流量に対して空気混入部５０に引き込まれる芳香空気の量が少なすぎたり、多すぎたりすることを防止することができる。また、単純な構造で空気混入部５０に芳香空気を引き込むことができる。さらに、空気混入部５０を小型かつ容易に製造することができる。
【００３８】
したがって、実施例２の局部洗浄装置も、小型化が図られ、洗浄水に芳香空気を確実に混入し、充分な洗浄感を得ることができる。
【００３９】
また、実施例２の局部洗浄装置では、ノズル本体１３Ａ、１４Ａの噴出孔Ｈの近傍で芳香空気が洗浄水に混入されるため、噴出孔Ｈから芳香空気を洗浄水と共に確実に噴出させることができる。
【実施例３】
【００４０】
実施例３の局部洗浄装置は、図４に示すように、通気路２４に三方弁Ｖ４が備えられている点を除き、実施例１と同じ構成を有する。実施例１と同一の構成については同一の符号を付して詳細な説明は省略する。
【００４１】
実施例３の局部洗浄装置は、通気路２４に三方弁Ｖ４がさらに備えられている。三方弁Ｖ４は、第１流入口６１が排気口２３に連通され、第２流入口６２が大気に開放され、流出口６３が空気混入部４０に連通されている。また、三方弁Ｖ４は、内部に回転自在に組み込まれた回転弁体６０により、第１流入口６１、第２流入口６２及び流出口６３を開閉可能としている。このため、三方弁Ｖ４の流入口６１と流出口６３とが連通した状態で、給水路１０内を洗浄水が流れると、その水勢によりオリフィス４１の下流近傍に負圧が発生し、空気混入部４０は芳香空気取入口４２から芳香空気を引き込み、洗浄水に芳香空気を混入させることができる。このように、収納ケース２０から芳香空気を空気混入部４０に送るためにダイアフラムポンプ等の部品を別途必要としない。また、空気混入部４０を流れる洗浄水の流量の多少により水勢が変化すると、それに応じて発生する負圧の強さも変化する。つまり、洗浄水の流量が増加すれば、空気混入部４０に引き込まれる芳香空気の量も自動的に増加し、洗浄水の流量が減少すれば、空気混入部４０に引き込まれる芳香空気の量も自動的に減少する。このため、洗浄水の流量に対して空気混入部４０に引き込まれる芳香空気の量が少なすぎたり、多すぎたりすることを防止することができる。また、単純な構造で空気混入部４０に芳香空気を引き込むことができる。さらに、空気混入部４０を小型かつ容易に製造することができる。
【００４２】
したがって、実施例３の局部洗浄装置も、小型化が図られ、洗浄水に芳香空気を確実に混入し、充分な洗浄感を得ることができる。
【００４３】
また、三方弁Ｖ４の第１流入口６１、第２流入口６２及び流出口６３を開閉制御すると、局部洗浄ノズル１３、１４の噴出孔Ｈから噴出される洗浄水への芳香空気の混入割合を以下のように変化させることができる。
【００４４】
第１流入口６１、第２流入口６２及び流出口６３を共に開弁状態にすると、収納ケース２０から吸引される芳香空気と第２流入口６２から吸引される空気とが空気混入部４０に引き込まれる。このため、局部洗浄ノズル１３、１４の噴出孔Ｈからは芳香空気の混入割合の少ない空気が混入された洗浄水が噴出されるため、洗浄水の香りは弱くなる。また、第２流入口６２のみを回転弁体６０により閉弁状態にすると、収納ケース２０から吸引される芳香空気のみが空気混入部４０に引き込まれる。このため、局部洗浄ノズル１３、１４の噴出孔Ｈからは芳香空気の混入割合の多い空気が混入された洗浄水が噴出されるため、洗浄水の香りは強くなる。また、第１流入口６１のみを回転弁体６０により閉弁状態にすると、第２流入口６２から吸引される空気のみが空気混入部に引き込まれる。このため、局部洗浄ノズル１３、１４の噴出孔Ｈからは香りを有さない空気が混入された洗浄水が噴出される。また、流出口６３のみを回転弁体６０により閉弁状態にすると、空気混入部４０には空気が引き込まれない。このため、局部洗浄ノズル１３、１４の噴出孔Ｈからは空気が混入されていない洗浄水が噴出される。
【００４５】
以上において、本発明を実施例１〜３に即して説明したが、本発明は上記実施例に制限されるものではなく、その趣旨に逸脱しない範囲で適宜変更して適用できることはいうまでもない。
【００４６】
例えば、収納ケース２０を通気路２４から着脱自在にし、収納ケース２０をケース３に設けられた開口から取り出し可能としても良い。この場合、芳香剤３０の交換を容易に行なうことができる。また、芳香剤３０を固体若しくはジェル状のものにしても良い。
【００４７】
また、図示しないが、空気混入部４０、５０の下流側の給水路１０を分岐し、分岐した給水路１０をノズル本体１３Ａ、１４Ａがシリンダー１３Ｂ、１４Ｂ内に収納されている状態で、ノズル本体１３Ａ、１４Ａの外周面とシリンダー１３Ｂ、１４Ｂの内周面との間に洗浄水が供給されるように接続しても良い。このようにすると、ノズル本体１３Ａ、１４Ａの外周面を芳香空気を含んだ洗浄水で洗浄することができるため、ノズル本体１３Ａ、１４Ａの洗浄時にも芳香空気の香りを放出することができる。また、この局部洗浄装置が組み込まれた洋風水洗便器を使用する使用者を自動検知システムで検知し、ノズル本体１３Ａ、１４Ａの外周面を自動的に洗浄するように制御しても良い。このようにすると、用便前に芳香空気の香りを放出することができる。
【００４８】
また、本発明は、温水タンク１１を有する貯湯式の局部洗浄装置のみならず、瞬間給湯器を有する瞬間給湯式の局部洗浄装置にも適用することができる。この場合、収納ケースを瞬間給湯器の加熱部の近傍、特に上方に配置するとよい。
【産業上の利用可能性】
【００４９】
本発明は、例えば、洋風水洗式便器に利用可能である。
【図面の簡単な説明】
【００５０】
【図１】実施例１及び実施例３の局部洗浄装置が組み込まれた洋風水洗式便器を示す概略斜視図である。
【図２】実施例１の局部洗浄装置を示す模式図である。
【図３】実施例２の局部洗浄装置の一部を示す模式図である。
【図４】実施例３の局部洗浄装置の一部を示す模式図である。
【符号の説明】
【００５１】
１０…給水路
１３、１４…局部洗浄ノズル（１３…肛門洗浄用ノズル、１４…ビデ洗浄用ノズル）
２０…収納ケース
２１…収納室
２２…吸気口
２３…排気口
２４…通気路
２５…逆止弁
２６…分岐路
３０…芳香剤
４０、５０…空気混入部
４１、５１…オリフィス
４２、５２…芳香空気取入口
６１…第１流入口
６２…第２流入口
６３…流出口
Ｈ…噴出孔
Ｖ１…第１開閉弁
Ｖ２…第２開閉弁
Ｖ３…第３開閉弁
Ｖ４…三方弁
【図１】
2009133123.tif 000003
【図２】
2009133123.tif 000004
【図３】
2009133123.tif 000005
【図４】
2009133123.tif 000006